(57)【要約】      （修正有）【課題】ひさし構造を自動的に展開可能なひさし付バタフライ式テントを提供する。【解決手段】フレームとタープを含み、フレームは複数本のポール１１を含み、各ポールの先端に天井ポール群が接続されている。また、天井ポール群の内端が枢結ベースに枢結される。天井ポール群は、端部がヒンジ接続される内ポールと外ポール１２２を含む。隣接するポールの間にはサイドポール群が接続されており、各ポールの先端にひさし構造が設けられている。ひさし構造は、各ポールの先端に固定接続されるひさしベース１５１、ひさしポール１５２、及びこれにヒンジ接続される一部天井ポール群を含む。ひさしベースは、下端にネジ孔が設けられる固定部とひさしベース本体を含む。ひさしベース本体には、ひさしベース本体をポールの対角線方向に挿通する位置規制溝が設けられている。ひさしベース本体における枢結ベース寄りの上面の隅には高さ規制部が設けられている。高さ規制部は位置規制溝の両側に接続される。【選択図】図３
0003226419.tif 000002
【実用新案登録請求の範囲】
【請求項１】
フレーム（１）と、フレーム（１）を覆うタープ（２）を含み、前記フレーム（１）が少なくとも３本のポール（１１）を含むひさし付きバタフライ式テントであって、
前記ポール（１１）は伸縮可能な嵌装式ポールであり、各前記ポール（１１）の先端に天井ポール群（１２）が接続されており、前記天井ポール群（１２）は放射状にテントの天井に分布しており、前記天井ポール群（１２）の内端は、テントの天井面の中心に位置する枢結ベース（１３）に枢結しており、前記枢結ベース（１３）の周囲にはヒンジ固定部（１３１）が配置されており、
前記天井ポール群（１２）は、隣接する端部がヒンジ接続される内ポール（１２１）と外ポール（１２２）を含み、前記内ポール（１２１）の他端は枢結ベース（１３）にヒンジ接続され、前記外ポール（１２２）の他端はポール（１１）にヒンジ接続され、
隣接する前記ポール（１１）の間には、展開又は収納可能なサイドポール群（１４）が接続されており、各前記ポール（１１）の先端にはひさし構造（１５）が設けられており、
前記ひさし構造（１５）は、各ポール（１１）の先端に固定接続されるひさしベース（１５１）、ひさしポール（１５２）、第１筋交い（１６）、及び第１筋交い（１６）にヒンジ接続される外ポール（１２２）を含み、
一体成型される前記ひさしベース（１５１）は、下端がポールの先端に覆設されて固定される固定部（１５１１）と、固定部（１５１１）の上方に位置するひさしベース本体（１５１２）を含み、前記固定部（１５１１）の周方向には、隣接する２つのサイドポール群（１４）をヒンジ接続する２つの第１接続部（１５１１１）が配置されており、前記ひさしベース本体（１５１２）には、外ポールの端部をヒンジ接続により固定する第２接続部（１５１３）が設けられており、前記第２接続部（１５１３）の構造は、外ポール方向に延伸し、且つネジ孔が開設された２つの垂直プレート部材となっており、前記ひさしベース本体（１５１２）の枢結ベース（１３）寄りの側には、アーチ型の高さ規制部（１５１４）が設けられており、前記高さ規制部（１５１４）の両端は、それぞれ第２接続部（１５１３）における垂直プレート部材の外壁と固定部（１５１１）の上面に接続され、
前記ポール（１１）と外ポール（１２２）の間には第１筋交い（１６）がヒンジ接続されており、前記ひさしポール（１５２）は中央部が屈曲した丸ポールであり、前記ひさしポール（１５２）のテント中心寄りの一端は第１筋交い（１６）にヒンジ接続され、前記ひさしポール（１５２）の中央部は高さ規制部（１５１４）に挿入されるが、前記ひさしポール（１５２）と高さ規制部（１５１４）は固定接続されず、前記ひさしポール（１５２）は、上傾すると前記高さ規制部（１５１４）に当接することを特徴とするひさし付きバタフライ式テント。
【請求項２】
前記枢結ベース（１３）には８本の内ポール（１２１）が接続されており、８本の前記内ポール（１２１）は傘状に配置され、前記枢結ベース（１３）の下方にはプッシュプルユニット（１７）が設けられていることを特徴とする請求項１に記載のひさし付きバタフライ式テント。
【請求項３】
前記プッシュプルユニット（１７）には、枢結ベース（１３）の底部から順に、延長ロッド（１７１）、スタンド（１７２）、サブベース（１７３）、メインベース（１７４）、ロック部材（１７５）及び台座（１７６）が接続されており、
前記台座（１７６）には、左右に対向する２つの支持部（１７６１）が設けられており、前記支持部（１７６１）の中央部には凹溝が設けられており、前記ロック部材（１７５）は２つ設けられ、それぞれメインベース（１７４）の左右両側に装着され、
前記ロック部材（１７５）は凹溝と係合し、前記支持部（１７６１）の外側には傾斜面が設けられており、前記台座（１７６）には上から下に向かう開口が更に設けられ、前記開口の内壁には柱状の位置決めピン（１７６２）が設けられており、
前記ロック部材（１７５）は、カバー（１７５１）、第１バネ（１７５２）及びラッチ（１７５３）を組み合わせてなり、前記第１バネ（１７５２）は、一端がカバー（１７５１）の内側に係合するとともに、他端がラッチ（１７５３）に係合し、前記ロック部材（１７５）は台座（１７６）の左右両側に設けられ、且つ、傾斜面がラッチ（１７５３）の基端に当接し、前記メインベース（１７４）には第１軸孔（１７４１）が設けられており、前記メインベース（１７４）の底部には、位置決めピン（１７６２）と係合する位置決め孔が設けられており、前記サブベース（１７３）には第２軸孔（１７３１）が設けられており、前記スタンド（１７２）は、軸体（１７２１）と、軸体（１７２１）の基端に設けられる傾斜部（１７２２）及び段差（１７２３）を含み、前記軸体（１７２１）の他の基端にはロック突起（１７２４）が設けられており、前記位置決めピン（１７６２）が、台座（１７６）の開口及びメインベース（１７４）の位置決め孔と係合し、
前記延長ロッド（１７１）には、ロック突起（１７２４）と係合する孔が設けられていることを特徴とする請求項２に記載のひさし付きバタフライ式テント。
【請求項４】
前記内ポール（１２１）とプッシュプルユニット（１７）の間には内支持ポール（１８）が更に接続されており、４本の前記内支持ポール（１８）がサブベース（１７３）にヒンジ接続され、４本の前記内支持ポール（１８）がメインベース（１７４）にヒンジ接続されることを特徴とする請求項３に記載のひさし付きバタフライ式テント。
【請求項５】
前記サイドポール群（１４）は８本のサイドポールを含み、８本の前記サイドポールは、隣接する２本のポールの距離の１／２を中心とした鏡像対称をなし、
前記ポール（１１）にヒンジ接続される２本のサイドポールは、それぞれ第１サイドポール（１４１）及び第２サイドポール（１４２）であり、前記第１サイドポール（１４１）の一端はポール（１１）の先端にヒンジ接続され、前記第２サイドポール（１４２）とポール（１１）とのヒンジ接続点は、ポール（１１）の先端との間に一定の垂直距離を有し、前記第１サイドポール（１４１）と第２サイドポール（１４２）の中央部はＸ状に交差し、交差点が第１サイドポール（１４１）と第２サイドポール（１４２）とのヒンジ接続点となり、
前記第１サイドポール（１４１）と第２サイドポール（１４２）におけるポール（１１）から離間する一端は、それぞれ第３サイドポール（１４３）と第４サイドポール（１４４）にヒンジ接続され、前記第４サイドポール（１４４）の他端は外ポール（１２２）にヒンジ接続され、このヒンジ接続点を上ヒンジ接続点（１４５）とし、
前記第３サイドポール（１４３）は展開時に水平を維持し、前記第３サイドポール（１４３）は、これに接して同様に水平を維持する第３サイドポール（１４３）にヒンジ接続され、このヒンジ接続点を下ヒンジ接続点（１４６）とし、
前記外ポール（１２２）と下ヒンジ接続点（１４６）の間には、更に第２筋交い（１９）が接続されており、前記第２筋交い（１９）は、一端が下ヒンジ接続点（１４６）にヒンジ接続されるとともに、他端が、外ポール（１２２）における枢結ベース（１３）寄りの一端と上ヒンジ接続点（１４５）との間にヒンジ接続されることを特徴とする請求項１に記載のひさし付きバタフライ式テント。
【請求項６】
前記上ヒンジ接続点（１４５）には中央ひさしポール（１２０）が更に接続されており、前記中央ひさしポール（１２０）のテント中心寄りの一端は外ポール（１２２）にヒンジ接続されており、前記中央ひさしポール（１２０）は中央部が屈曲した丸ポールであることを特徴とする請求項５に記載のひさし付きバタフライ式テント。
【請求項７】
前記ポール（１１）の数は４本であり、前記ポール（１１）のポール本体に伸縮ユニット（１１３）が装着されており、
前記ポール（１１）は、第１嵌装式ポール（１１１）と、地面に接触する第２嵌装式ポール（１１２）からなり、前記第１嵌装式ポール（１１１）の直径は第２嵌装式ポール（１１２）よりも大きく、２つの嵌装式ポールの接続箇所に伸縮ユニット（１１３）が設けられ、前記伸縮ユニット（１１３）は、係止部（１１３１）と、係止部（１１３１）外側の隣接する２つの面に装着される湾曲部（１１３２）を含み、前記係止部（１１３１）の内部にはポール（１１）と一致する中空構造が設けられ、中空の内壁には複数の凸模様が設けられており、
Ｌ型の前記湾曲部（１１３２）は、一端が係止部（１１３１）の外側面に固定されるとともに、他端が動作可能であり、前記湾曲部（１１３２）の可動端の内側には第２バネが装着されており、前記第２バネの両端はそれぞれ延伸し、湾曲部（１１３２）の可動端と可動端に対向する係止部（１１３１）の外側面に固定されることを特徴とする請求項１に記載のひさし付きバタフライ式テント。
【請求項８】
前記タープ（２）は、四角形又は八角形をなすことを特徴とする請求項１に記載のひさし付きバタフライ式テント。
【考案の詳細な説明】
【技術分野】
【０００１】
本考案はテントの分野に関し、特に、ひさし付きバタフライ式テントに関する。
【背景技術】
【０００２】
テントは、日除け、雨除け、折り畳み可能といった特性から、各種臨時場所で幅広く利用されている。従来のテントによる遮蔽空間は、一般的にテント四方のポールで囲まれる面積に限られている。或いは、タープの四隅にひさし構造を設計するにとどまっており、タープ各辺の中点部分におけるひさし設計については考慮されていない。また、構造がやや複雑であり、展開が面倒である。ポール部材は手動で動かさねばならないが、対応するポール部材を引っ張る際にひさし構造が自動的に展開するわけではない。そこで、テントの全周にひさし構造が合理的に配置されるとともに、容易に展開又は折り畳み可能なテントが必要とされている。
【考案の概要】
【考案が解決しようとする課題】
【０００３】
本考案は、ひさし構造を自動的に展開可能なひさし付きバタフライ式テントを提供する。
【課題を解決するための手段】
【０００４】
本考案は、上記の技術的課題を解決するために以下の技術方案を用いる。
【０００５】
ひさし付きバタフライ式テントであって、フレームと、フレームを覆うタープを含み、前記フレームが少なくとも３本のポールを含む。前記ポールは伸縮可能な嵌装式ポールであり、各前記ポールの先端に天井ポール群が接続されており、前記天井ポール群は放射状にテントの天井に分布しており、前記天井ポール群の内端は、テントの天井面の中心に位置する枢結ベースに枢結しており、前記枢結ベースの周囲にはヒンジ固定部が配置されている。前記天井ポール群は、隣接する端部がヒンジ接続される内ポールと外ポールを含み、前記内ポールの他端は枢結ベースにヒンジ接続され、前記外ポールの他端はポールにヒンジ接続される。隣接する前記ポールの間には、展開又は収納可能なサイドポール群が接続されており、各前記ポールの先端にはひさし構造が設けられている。前記ひさし構造は、各ポールの先端に固定接続されるひさしベース、ひさしポール、第１筋交い、及び第１筋交いにヒンジ接続される外ポールを含む。一体成型される前記ひさしベースは、下端がポールの先端に覆設されて固定される固定部と、固定部の上方に位置するひさしベース本体を含み、前記固定部の周方向には、隣接する２つのサイドポール群をヒンジ接続する２つの第１接続部が配置されており、前記ひさしベース本体には、外ポールの端部をヒンジ接続により固定する第２接続部が設けられており、前記第２接続部の構造は、外ポール方向に延伸し、且つネジ孔が開設された２つの垂直プレート部材となっており、前記ひさしベース本体の枢結ベース寄りの側には、アーチ型の高さ規制部が設けられており、前記高さ規制部の両端は、それぞれ第２接続部における垂直プレート部材の外壁と固定部の上面に接続される。前記ポールと外ポールの間には第１筋交いがヒンジ接続されており、前記ひさしポールは中央部が屈曲した丸ポールであり、前記ひさしポールのテント中心寄りの一端は第１筋交いにヒンジ接続され、前記ひさしポールの中央部は高さ規制部に挿入されるが、前記ひさしポールと高さ規制部は固定接続されず、前記ひさしポールは、上傾すると前記高さ規制部に当接する。
【０００６】
更に、前記枢結ベースには８本の内ポールが接続されており、８本の前記内ポールは傘状に配置され、前記枢結ベースの下方にはプッシュプルユニットが設けられている。
【０００７】
更に、前記プッシュプルユニットには、枢結ベースの底部から順に、延長ロッド、スタンド、サブベース、メインベース、ロック部材及び台座が接続されている。前記台座には、左右に対向する２つの支持部が設けられており、前記支持部の中央部には凹溝が設けられており、前記ロック部材は２つ設けられ、それぞれメインベースの左右両側に装着される。前記ロック部材は凹溝と係合する。前記支持部の外側には傾斜面が設けられており、前記台座には上から下に向かう開口が更に設けられ、前記開口の内壁には柱状の位置決めピンが設けられている。前記ロック部材は、カバー、第１バネ及びラッチを組み合わせてなり、前記第１バネは、一端がカバーの内側に係合するとともに、他端がラッチに係合し、前記ロック部材は台座の左右両側に設けられ、且つ、傾斜面がラッチの基端に当接し、前記メインベースには第１軸孔が設けられており、前記メインベースの底部には、位置決めピンと係合する位置決め孔が設けられており、前記サブベースには第２軸孔が設けられており、前記スタンドは、軸体と、軸体の基端に設けられる傾斜部及び段差を含み、前記軸体の他の基端にはロック突起が設けられており、前記位置決めピンが、台座の開口及びメインベースの位置決め孔と係合する。前記延長ロッドにはロック突起と係合する孔が設けられている。
【０００８】
更に、前記内ポールとプッシュプルユニットの間には内支持ポールが更に接続されており、４本の前記内支持ポールがサブベースにヒンジ接続され、４本の前記内支持ポールがメインベースにヒンジ接続される。
【０００９】
更に、前記サイドポール群は８本のサイドポールを含み、８本の前記サイドポールは、隣接する２本のポールの距離の１／２を中心とした鏡像対称をなす。前記ポールにヒンジ接続される２本のサイドポールは、それぞれ第１サイドポール及び第２サイドポールであり、前記第１サイドポールの一端はポールの先端にヒンジ接続され、前記第２サイドポールとポールとのヒンジ接続点は、ポールの先端との間に一定の垂直距離を有し、前記第１サイドポールと第２サイドポールの中央部はＸ状に交差し、交差点が第１サイドポールと第２サイドポールとのヒンジ接続点となる。前記第１サイドポールと第２サイドポールにおけるポールから離間する一端は、それぞれ第３サイドポールと第４サイドポールにヒンジ接続され、前記第４サイドポールの他端は外ポールにヒンジ接続され、このヒンジ接続点を上ヒンジ接続点とする。前記第３サイドポールは展開時に水平を維持し、前記第３サイドポールは、これに接して同様に水平を維持する第３サイドポールにヒンジ接続され、このヒンジ接続点を下ヒンジ接続点とする。前記外ポールと下ヒンジ接続点の間には、更に第２筋交いが接続されており、前記第２筋交いは、一端が下ヒンジ接続点にヒンジ接続されるとともに、他端が、外ポールにおける枢結ベース寄りの一端と上ヒンジ接続点との間にヒンジ接続される。
【００１０】
更に、前記上ヒンジ接続点には中央ひさしポールが更に接続されており、前記中央ひさしポールのテント中心寄りの一端は外ポールにヒンジ接続されており、前記中央ひさしポールは中央部が屈曲した丸ポールである。
【００１１】
更に、前記ポールの数は４本であり、前記ポールのポール本体に伸縮ユニットが装着されている。前記ポールは、第１嵌装式ポールと、地面に接触する第２嵌装式ポールからなり、前記第１嵌装式ポールの直径は第２嵌装式ポールよりも大きく、２つの嵌装式ポールの接続箇所に伸縮ユニットが設けられ、前記伸縮ユニットは、係止部と、係止部外側の隣接する２つの面に装着される湾曲部を含み、前記係止部の内部にはポールと一致する中空構造が設けられ、中空の内壁には複数の凸模様が設けられる。Ｌ型の前記湾曲部は、一端が係止部の外側面に固定されるとともに、他端が動作可能であり、前記湾曲部の可動端の内側には第２バネが装着されており、前記第２バネの両端はそれぞれ延伸し、湾曲部の可動端と可動端に対向する係止部の外側面に固定される。
【００１２】
更に、前記タープは四角形又は八角形をなす。
【考案の効果】
【００１３】
従来技術と比較して、本考案のひさし付きバタフライ式テントは、ひさしポールを手動で広げる必要がない。ポールが一定程度まで展開すると、ひさしポールが外ポールと第１筋交いに引っ張られて徐々に持ち上げられる。これに伴い、サイドポール群も徐々に展開し、サイドポール群の中央に位置する２本の第４サイドポールが人の字型をなして支持する。また、上ヒンジ接続点の引っ張りにより、中央ひさしポールが外ポールとのヒンジ接続点周りに回動し、タープを広げることでひさし構造が形成される。また、テントの遮蔽面積が拡大し、テントの有効使用率が向上する。これにより、テント空間が増加するため、ユーザエクスペリエンスが高まる。且つ、合理化されたひさし構造によって、手動でひさしポールを広げる必要がなくなるため、時間と労力の節約となり、使用に都合がよい。
【図面の簡単な説明】
【００１４】
【図１】図１は、本考案のひさし付きバタフライ式テントの斜視図である。
【図２】図２は、本考案のひさし付きバタフライ式テントにタープを取り付けた場合の斜視図である。
【図３】図３は、本考案のひさし付きバタフライ式テントにおけるＡ部分のひさし構造の拡大図である。
【図４】図４は、本考案のひさし付きバタフライ式テントにおけるひさしベースの斜視図である。
【図５】図５は、本考案のひさし付きバタフライ式テントにおけるＢ部分の拡大図である。
【図６】図６は、本考案のひさし付きバタフライ式テントにおける枢結ベースと、これに接続される天井ポール群を別の角度から見た構造図である。
【図７】図７は、本考案のひさし付きバタフライ式テントにおける枢結ベースと、その下端に接続されるプッシュプルユニットの分解図である。
【図８】図８は、本考案のひさし付きバタフライ式テントにおけるサイドポール群と、これに接続される中央ひさしポールの構造図である。
【図９】図９は、本考案のひさし付きバタフライ式テントにおけるＣ部分の拡大図である。
【図１０】図１０は、本考案のひさし付きバタフライ式テントにおけるＤ部分の拡大図である。
【考案を実施するための形態】
【００１５】
以下に、図面と実施例を組み合わせて、本考案につき更に詳細に説明する。
【００１６】
図１〜図２に示すように、ひさし付きバタフライ式テントは、フレーム１と、フレーム１を覆うタープ２を含む。フレーム１は少なくとも３本のポール１１を含む。ポール１１は伸縮可能な嵌装式ポールである。各ポール１１の先端には、天井ポール群１２が接続されている。天井ポール群１２は、放射状にテントの天井に分布して天井フレームを形成する。天井ポール群１２の内端は、テントの天井面の中心に位置する枢結ベース１３に枢結している。また、枢結ベース１３の周囲にはヒンジ固定部１３１が配置されている。天井ポール群１２は、隣接する端部がヒンジ接続される内ポール１２１と外ポール１２２を含む。内ポール１２１の他端は枢結ベース１３にヒンジ接続され、外ポール１２２の他端はポール１１にヒンジ接続される。隣接するポール１１の間には、展開又は収納可能なサイドポール群１４が接続されている。また、各ポール１１の先端にはひさし構造１５が設けられている。
【００１７】
タープ２は、四角形又は八角形をなしている。四角形の四隅及び各辺の中点、又は八角形の各頂点には、いずれも対応するポールの外端を挿入して構造の固定を実現するためのポケット（図示しない）が縫い付けられている。
【００１８】
図３〜図４に示すように、ひさし構造１５は、各ポール１１の先端に固定接続されるひさしベース１５１、ひさしポール１５２、第１筋交い１６、及びこれにヒンジ接続される外ポール１２２を含む。一体成型されるひさしベース１５１は、下端がポールの先端に覆設されて固定される固定部１５１１と、固定部１５１１の上方に位置するひさしベース本体１５１２を含む。固定部１５１１の周方向には、隣接する２つのサイドポール群１４をヒンジ接続する２つの第１接続部１５１１１が配置されている。第１接続部１５１１１の構造は、水平の対応位置にネジ孔が開設された２つの鉛直プレート部材となっている。ひさしベース本体１５１２には、外ポールの端部をヒンジ接続により固定する第２接続部１５１３が設けられている。第２接続部１５１３の構造は、外ポール方向に延伸し、且つネジ孔が開設された２つの垂直プレート部材となっている。外ポール１２２を固定する第２接続部１５１３はサイドポール群１４を固定する第１接続部１５１１１よりも高く設置するが、これは、テントの開閉過程におけるポール部材同士の干渉を減らし、各々の運動経路をより円滑にするためである。また、ひさしベース本体１５１２の枢結ベース１３寄りの側には、アーチ型の高さ規制部１５１４が設けられている。高さ規制部１５１４の両端は、それぞれ第２接続部１５１３における垂直プレート部材の外壁と固定部１５１１の上面に接続されており、ひさしポール１５２の最大上傾幅を規制するとともに、ひさしポール１５２の水平回動を拘束するために用いられる。
【００１９】
ポール１１と外ポール１２２の間の夾角部分には、支持力を強化しつつ、ひさし構造１５をより合理化するための第１筋交い１６がヒンジ接続されている。ひさしポール１５２は、中央部が一定の角度だけ屈曲した丸ポールであり、２か所で接続することで運動経路を実現している。ひさしポール１５２のテント中心寄りの一端は、第１筋交い１６にヒンジ接続されている。当該ヒンジ接続箇所にひさしポール１５２と天井ポール群との相対位置を固定することで、テントの展開時には、ひさしポール１５２の角度が天井ポール群に付随して同時に変化する。また、ひさしポール１５２中央部の屈曲部分は高さ規制部１５１４に挿入されるが、ひさしポール１５２と高さ規制部１５１４は固定接続されない。この位置規制構造によって空間位置を制限することで、ひさしポール１５２は、一定程度上傾したあと高さ規制部１５１４に当接する。
【００２０】
図５〜図７に示すように、本実施例の枢結ベース１３には８本の内ポール１２１が接続されている。８本の内ポール１２１は傘状に配置される。また、枢結ベース１３の下方にはプッシュプルユニット１７が設けられている。プッシュプルユニット１７には、枢結ベース１３の底部から順に、延長ロッド１７１、スタンド１７２、サブベース１７３、メインベース１７４、ロック部材１７５及び台座１７６が接続されている。台座１７６には、左右に対向する２つの支持部１７６１が設けられている。また、支持部１７６１の中央部には凹溝が設けられている。ロック部材１７５は２つ設けられ、それぞれメインベース１７４の左右両側に装着される。また、ロック部材１７５は凹溝と係合する。支持部１７６１の外側には傾斜面が設けられている。更に、台座１７６には上から下に向かう開口が設けられ、開口の内壁に柱状の位置決めピン１７６２が設けられている。ロック部材１７５は、カバー１７５１、第１バネ１７５２及びラッチ１７５３を組み合わせてなる。第１バネ１７５２は、一端がカバー１７５１の内側に係合し、他端がラッチ１７５３に係合する。ロック部材１７５は台座１７６の左右両側に設けられ、且つ、傾斜面がラッチ１７５３の基端に当接する。メインベース１７４には第１軸孔１７４１が設けられている。また、メインベース１７４の底部には、位置決めピン１７６２と係合する位置決め孔が設けられている。サブベース１７３には、第２軸孔１７３１が設けられている。スタンド１７２は、軸体１７２１と、軸体１７２１の基端に設けられる傾斜部１７２２及び段差１７２３を含む。軸体１７２１の他の基端にはロック突起１７２４が設けられる。また、位置決めピン１７６２が、台座１７６の開口及びメインベース１７４の位置決め孔と係合する。延長ロッド１７１には、ロック突起１７２４と係合する孔が設けられている。このほか、内ポール１２１とプッシュプルユニット１７の間には、内支持ポール１８が更に接続されている。内支持ポール１８は数が多いため、展開時に互いに干渉しないよう、４本の内支持ポール１８がサブベース１７３にヒンジ接続され、４本の内支持ポール１８がメインベース１７４にヒンジ接続される。内支持ポール１８は、内ポール１２１をプッシュプルユニット１７と連携して運動させ、展開又は収縮を実現するために用いられる。
【００２１】
図８〜図９に示すように、隣接するポール１１の間には、いずれもサイドポール群１４が接続されている。本実施例のサイドポール群１４は８本のサイドポールを含む。８本のサイドポールは、隣接する２本のポールの距離の１／２を中心とした鏡像対称をなす。ポール１１にヒンジ接続される２本のサイドポールは、それぞれ第１サイドポール１４１及び第２サイドポール１４２である。第１サイドポール１４１の一端はポール１１の先端にヒンジ接続される。第２サイドポール１４２とポール１１とのヒンジ接続点は、ポール１１の先端との間に一定の垂直距離を有する。第１サイドポール１４１と第２サイドポール１４２の中央部はＸ状に交差し、交差点が第１サイドポール１４１と第２サイドポール１４２とのヒンジ接続点となる。第１サイドポール１４１と第２サイドポール１４２におけるポール１１から離間する一端は、それぞれ第３サイドポール１４３と第４サイドポール１４４にヒンジ接続される。また、第４サイドポール１４４の他端は外ポール１２２にヒンジ接続される。このヒンジ接続点を上ヒンジ接続点１４５とする。第３サイドポール１４３は展開時に水平を維持する。８本のサイドポールは鏡像対称をなすため、第３サイドポール１４３は、これに接して同様に水平を維持する第３サイドポール１４３にヒンジ接続される。このヒンジ接続点を下ヒンジ接続点１４６とする。上ヒンジ接続点及び下ヒンジ接続点の接続部材構造には、いずれも複数方向のヒンジ接続点が設けられているため、ポール部材を収納しやすく、梱包が小型化する。また、外ポール１２２と下ヒンジ接続点１４６の間には、更に第２筋交い１９が接続されている。第２筋交い１９は、一端が下ヒンジ接続点１４６にヒンジ接続されるとともに、他端が、外ポール１２２における枢結ベース１３寄りの一端と上ヒンジ接続点１４５との間にヒンジ接続されて、フレーム１の支持力強化に用いられる。このほか、上ヒンジ接続点１４５には、中央ひさしポール１２０が更に接続されている。中央ひさしポール１２０は、中央部が一定の角度だけ屈曲した丸ポールである。中央ひさしポール１２０のテント中心寄りの一端は、第２筋交い１９にヒンジ接続されている。また、中央ひさしポール１２０の中央部における屈曲箇所は、上ヒンジ接続点の接続部材によって位置規制される。
【００２２】
上ヒンジ接続点１４５における具体的な接続方式としては、上ヒンジ接続点寄りの外ポールの端部に、一体成型されたＵ型プレート部材１４５１が覆設される。Ｕ型プレート部材１４５１の三方のプレート部材には、いずれもネジ孔が開設されており、隣接する２つの第４サイドポール１４４の端部にもネジ孔が開設されている。２つの第４サイドポール１４４におけるネジ孔と、Ｕ型プレート部材１４５１の中央プレートにおけるネジ孔にネジを順に挿入し、締め付けて固定することで、２つの第４サイドポール１４４と、これに隣接する外ポールとのヒンジ接続による固定を実現可能である。中央ひさしポール１２０は、中空の位置規制部材１４５２を介してＵ型プレート部材１４５１のサイドパネル部材にヒンジ接続される。当該中空の位置規制部材１４５２における中空箇所に中央ひさしポール１２０が挿入される。中空の位置規制部材１４５２は、中空の直方体である。直方体の下部は中央ひさしポール１２０と密着する回動経路であり、円弧状の曲面となるよう処理されている。円弧状の曲面の側壁にはネジ貫通孔が設けられ、ネジを挿入してＵ型プレート部材１４５１の側壁と固定するために用いられる。展開時には、隣接する２つのポール１１を引っ張ると、ポール１１にヒンジ接続される第１サイドポール１４１と第２サイドポール１４２が力を受けて運動し、第３サイドポール１４３と第４サイドポール１４４が離間するよう運動する。ヒンジ接続により交差して連動することで、各サイドポールは相対的に固定された位置関係を徐々に形成する。これにより、上ヒンジ接続点１４５に接続される第４サイドポール１４４と、水平な第３サイドポール１４３とが三角構造を形成する。また、中央ひさしポール１２０がヒンジ接続固定箇所の引っ張りにより自動的に持ち上げられる。
【００２３】
図１０に示すように、本実施例において、ポール１１の数は４本であり、ポール１１のポール本体に伸縮ユニット１１３が装着されている。ポール１１は、第１嵌装式ポール１１１と、地面に接触する第２嵌装式ポール１１２からなる。第１嵌装式ポール１１１の直径は第２嵌装式ポール１１２よりもやや大きい。また、２つの嵌装式ポールの接続箇所に伸縮ユニット１１３が設けられる。伸縮ユニット１１３は、係止部１１３１と、係止部１１３１外側の隣接する２つの面に装着される湾曲部１１３２を含む。係止部１１３１の内部には、ポール１１と一致する中空構造が設けられる。中空の内壁には、係止効果を強化するための複数の凸模様（図示しない）が設けられている。Ｌ型の湾曲部１１３２は、一端が係止部１１３１の外側面に固定されるとともに、他端が動作可能である。湾曲部１１３２の可動端の内側には、第２バネ（図示しない）が装着されている。第２バネの両端はそれぞれ延伸し、湾曲部１１３２の可動端と、可動端に対向する係止部１１３１の外側面に固定される。長さを調節する場合には、湾曲部１１３２の可動端を開き、開いた状態を維持したまま第２嵌装式ポール１１２を所望の長さまで引っ張る。湾曲部１１３２を緩めれば、第２バネが弾性復帰して接続箇所に係止する。これにより、伸縮及び固定が実現される。
【００２４】
また、展開したい場合には、タープのポケットを対応するポールの端部に被せ、２〜３人が対角をなすように立って対応するポールを外側に引っ張る。また、ポールの伸縮ユニットを調節して、ポールを所望の長さまで伸ばす。ポールが一定程度まで展開すると、ひさしポールが外ポールと第１筋交いに引っ張られて徐々に持ち上げられる。これに伴い、サイドポール群も徐々に展開し、サイドポール群の中央に位置する２本の第４サイドポールが人の字型をなして支持する。また、上ヒンジ接続点の引っ張りにより、中央ひさしポールが外ポールとのヒンジ接続点周りに回動し、タープを広げることでひさし構造が形成される。テントを畳みたい場合には、タープを外し、テントの中心に向かってポールを押動する。フレームの収縮運動が終了すると、まとめて収納し、保管する。
【００２５】
本考案のひさし付きバタフライ式テントはひさし構造を有する。対応するポール部材はタープを上方へ突き上げるため、タープが窪んで水が溜まるとの事態が回避される。また、テントの遮蔽面積が拡大し、テントの有効使用率が向上する。これにより、テント空間が増加するため、ユーザエクスペリエンスが高まる。且つ、合理化されたひさし構造によって、手動でひさしポールを広げる必要がなくなるため、時間と労力の節約となり、使用に都合がよい。
【００２６】
最後に説明すべき点として、上記の実施例は本考案の技術方案を説明するためのものにすぎず、制限するものではない。上記の実施例を参照して本考案につき詳細に説明したが、当業者であれば理解し得るように、上記の各実施例で記載した技術方案を修正してもよいし、一部の技術的特徴につき等価の置き換えを行ってもよい。また、これらの修正又は置き換えによって、対応する技術方案の本質が本考案の各実施例における技術方案の精神及び範囲から逸脱することはない。
【符号の説明】
【００２７】
１          フレーム
１１        ポール
１１１      第１嵌装式ポール
１１２      第２嵌装式ポール
１１３      伸縮ユニット
１１３１    係止部
１１３２    湾曲部
１２        天井ポール群
１２１      内ポール
１２２      外ポール
１３        枢結ベース
１３１      ヒンジ固定部
１４        サイドポール群
１４１      第１サイドポール
１４２      第２サイドポール
１４３      第３サイドポール
１４４      第４サイドポール
１４５      上ヒンジ接続点
１４５１    Ｕ型プレート部材
１４５２    中空位置規制部材
１４６      下ヒンジ接続点
１５        ひさし構造
１５１      ひさしベース
１５１１    固定部
１５１１１  第１接続部
１５１２    ひさしベース本体
１５１３    第２接続部
１５１４    高さ規制部
１５２      ひさしポール
１６        第１筋交い
１７        プッシュプルユニット
１７１      延長ロッド
１７２      スタンド
１７２１    軸体
１７２２    傾斜部
１７２３    段差
１７２４    ロック突起
１７３      サブベース
１７３１    第２軸孔
１７４      メインベース
１７４１    第１軸孔
１７５      ロック部材
１７５１    カバー
１７５２    第１バネ
１７５３    ラッチ
１７６      台座
１７６１    支持部
１７６２    位置決めピン
１８        内支持ポール
１９        第２筋交い
１２０      中央ひさしポール
２          タープ
【図１】
0003226419.tif 000003
【図２】
0003226419.tif 000004
【図３】
0003226419.tif 000005
【図４】
0003226419.tif 000006
【図５】
0003226419.tif 000007
【図６】
0003226419.tif 000008
【図７】
0003226419.tif 000009
【図８】
0003226419.tif 000010
【図９】
0003226419.tif 000011
【図１０】
0003226419.tif 000012
【手続補正書】
【提出日】令和2年3月16日(2020.3.16)
【手続補正１】
【補正対象書類名】実用新案登録請求の範囲
【補正対象項目名】全文
【補正方法】変更
【補正の内容】
【実用新案登録請求の範囲】
【請求項１】
フレーム（１）と、フレーム（１）を覆うタープ（２）を含み、前記フレーム（１）が少なくとも３本のポール（１１）を含むひさし付きバタフライ式テントであって、
前記ポール（１１）は伸縮可能な嵌装式ポールであり、各前記ポール（１１）の先端に天井ポール群（１２）が接続されており、前記天井ポール群（１２）は放射状にテントの天井に分布しており、前記天井ポール群（１２）の内端は、テントの天井面の中心に位置する枢結ベース（１３）に枢結しており、前記枢結ベース（１３）の周囲にはヒンジ固定部（１３１）が配置されており、
前記天井ポール群（１２）は、隣接する端部がヒンジ接続される内ポール（１２１）と外ポール（１２２）を含み、前記内ポール（１２１）の他端は枢結ベース（１３）にヒンジ接続され、前記外ポール（１２２）の他端はポール（１１）にヒンジ接続され、
隣接する前記ポール（１１）の間には、展開又は収納可能なサイドポール群（１４）が接続されており、各前記ポール（１１）の先端にはひさし構造（１５）が設けられており、
前記ひさし構造（１５）は、各ポール（１１）の先端に固定接続されるひさしベース（１５１）、ひさしポール（１５２）、第１筋交い（１６）、及び第１筋交い（１６）にヒンジ接続される外ポール（１２２）を含み、
一体成型される前記ひさしベース（１５１）は、下端がポールの先端に覆設されて固定される固定部（１５１１）と、固定部（１５１１）の上方に位置するひさしベース本体（１５１２）を含み、前記固定部（１５１１）の周方向には、隣接する２つのサイドポール群（１４）をヒンジ接続する２つの第１接続部（１５１１１）が配置されており、前記ひさしベース本体（１５１２）には、外ポールの端部をヒンジ接続により固定する第２接続部（１５１３）が設けられており、前記第２接続部（１５１３）の構造は、外ポール方向に延伸し、且つネジ孔が開設された２つの垂直プレート部材となっており、前記ひさしベース本体（１５１２）の枢結ベース（１３）寄りの側には、アーチ型の高さ規制部（１５１４）が設けられており、前記高さ規制部（１５１４）の両端は、それぞれ第２接続部（１５１３）における垂直プレート部材の外壁と固定部（１５１１）の上面に接続され、
前記ポール（１１）と外ポール（１２２）の間には第１筋交い（１６）がヒンジ接続されており、前記ひさしポール（１５２）は中央部が屈曲した丸ポールであり、前記ひさしポール（１５２）のテント中心寄りの一端は第１筋交い（１６）にヒンジ接続され、前記ひさしポール（１５２）の中央部は高さ規制部（１５１４）に挿入されるが、前記ひさしポール（１５２）と高さ規制部（１５１４）は固定接続されず、前記ひさしポール（１５２）は、上傾すると前記高さ規制部（１５１４）に当接することを特徴とするひさし付きバタフライ式テント。
【請求項２】
前記枢結ベース（１３）には８本の内ポール（１２１）が接続されており、８本の前記内ポール（１２１）は傘状に配置され、前記枢結ベース（１３）の下方にはプッシュプルユニット（１７）が設けられていることを特徴とする請求項１に記載のひさし付きバタフライ式テント。
【請求項３】
前記プッシュプルユニット（１７）には、枢結ベース（１３）の底部から順に、延長ロッド（１７１）、スタンド（１７２）、サブベース（１７３）、メインベース（１７４）、ロック部材（１７５）及び台座（１７６）が接続されており、
前記台座（１７６）には、左右に対向する２つの支持部（１７６１）が設けられており、前記支持部（１７６１）の中央部には凹溝が設けられており、前記ロック部材（１７５）は２つ設けられ、それぞれメインベース（１７４）の左右両側に装着され、
前記ロック部材（１７５）は凹溝と係合し、前記支持部（１７６１）の外側には傾斜面が設けられており、前記台座（１７６）には上から下に向かう開口が更に設けられ、前記開口の内壁には柱状の位置決めピン（１７６２）が設けられており、
前記ロック部材（１７５）は、カバー（１７５１）、第１バネ（１７５２）及びラッチ（１７５３）を組み合わせてなり、前記第１バネ（１７５２）は、一端がカバー（１７５１）の内側に係合するとともに、他端がラッチ（１７５３）に係合し、前記ロック部材（１７５）は台座（１７６）の左右両側に設けられ、且つ、傾斜面がラッチ（１７５３）の基端に当接し、前記メインベース（１７４）には第１軸孔（１７４１）が設けられており、前記メインベース（１７４）の底部には、位置決めピン（１７６２）と係合する位置決め孔が設けられており、前記サブベース（１７３）には第２軸孔（１７３１）が設けられており、前記スタンド（１７２）は、軸体（１７２１）と、軸体（１７２１）の基端に設けられる傾斜部（１７２２）及び段差（１７２３）を含み、前記軸体（１７２１）の他の基端にはロック突起（１７２４）が設けられており、前記位置決めピン（１７６２）が、台座（１７６）の開口及びメインベース（１７４）の位置決め孔と係合し、
前記延長ロッド（１７１）には、ロック突起（１７２４）と係合する孔が設けられていることを特徴とする請求項２に記載のひさし付きバタフライ式テント。
【請求項４】
前記内ポール（１２１）とプッシュプルユニット（１７）の間には内支持ポール（１８）が更に接続されており、４本の前記内支持ポール（１８）がサブベース（１７３）にヒンジ接続され、４本の前記内支持ポール（１８）がメインベース（１７４）にヒンジ接続されることを特徴とする請求項３に記載のひさし付きバタフライ式テント。
【請求項５】
前記サイドポール群（１４）は８本のサイドポールを含み、８本の前記サイドポールは、隣接する２本のポールの距離の１／２を中心とした鏡像対称をなし、
前記ポール（１１）にヒンジ接続される２本のサイドポールは、それぞれ第１サイドポール（１４１）及び第２サイドポール（１４２）であり、前記第１サイドポール（１４１）の一端はポール（１１）の先端にヒンジ接続され、前記第２サイドポール（１４２）とポール（１１）とのヒンジ接続点は、ポール（１１）の先端との間に一定の垂直距離を有し、前記第１サイドポール（１４１）と第２サイドポール（１４２）の中央部はＸ状に交差し、交差点が第１サイドポール（１４１）と第２サイドポール（１４２）とのヒンジ接続点となり、
前記第１サイドポール（１４１）と第２サイドポール（１４２）におけるポール（１１）から離間する一端は、それぞれ第３サイドポール（１４３）と第４サイドポール（１４４）にヒンジ接続され、前記第４サイドポール（１４４）の他端は外ポール（１２２）にヒンジ接続され、このヒンジ接続点を上ヒンジ接続点（１４５）とし、
前記第３サイドポール（１４３）は展開時に水平を維持し、前記第３サイドポール（１４３）は、これに接して同様に水平を維持する第３サイドポール（１４３）にヒンジ接続され、このヒンジ接続点を下ヒンジ接続点（１４６）とし、
前記外ポール（１２２）と下ヒンジ接続点（１４６）の間には、更に第２筋交い（１９）が接続されており、前記第２筋交い（１９）は、一端が下ヒンジ接続点（１４６）にヒンジ接続されるとともに、他端が、外ポール（１２２）における枢結ベース（１３）寄りの一端と上ヒンジ接続点（１４５）との間にヒンジ接続されることを特徴とする請求項１に記載のひさし付きバタフライ式テント。
【請求項６】
前記上ヒンジ接続点（１４５）には中央ひさしポール（１２０）が更に接続されており、前記中央ひさしポール（１２０）のテント中心寄りの一端は外ポール（１２２）にヒンジ接続されており、前記中央ひさしポール（１２０）は中央部が屈曲した丸ポールであることを特徴とする請求項５に記載のひさし付きバタフライ式テント。
【請求項７】
前記ポール（１１）の数は４本であり、前記ポール（１１）のポール本体に伸縮ユニット（１１３）が装着されており、
前記ポール（１１）は、第１嵌装式ポール（１１１）と、地面に接触する第２嵌装式ポール（１１２）からなり、前記第１嵌装式ポール（１１１）の直径は第２嵌装式ポール（１１２）よりも大きく、２つの嵌装式ポールの接続箇所に伸縮ユニット（１１３）が設けられ、前記伸縮ユニット（１１３）は、係止部（１１３１）と、係止部（１１３１）外側の隣接する２つの面に装着される湾曲部（１１３２）を含み、前記係止部（１１３１）の内部にはポール（１１）と一致する中空構造が設けられ、中空の内壁には複数の凸模様が設けられており、
Ｌ型の前記湾曲部（１１３２）は、可動端、及び、係止部（１１３１）の外側面に固定された一端を有し、前記湾曲部（１１３２）の可動端の内側には第２バネが装着されており、前記第２バネの両端はそれぞれ延伸し、湾曲部（１１３２）の可動端と可動端に対向する係止部（１１３１）の外側面に固定されることを特徴とする請求項１に記載のひさし付きバタフライ式テント。
【請求項８】
前記タープ（２）は、四角形又は八角形をなすことを特徴とする請求項１に記載のひさし付きバタフライ式テント。